(57)【特許請求の範囲】
【請求項１】
測定器により測定した測定データを管理する測定データ管理システムであって、
加速度センサを用いて測定器による測定が完了したか否かを判定する機器データ読取開始判定部と、
前記機器データ読取開始判定部により前記測定が完了したと判定されると、該測定器の画像データ又は映像データである機器データを読み取る機器データ読取部と、
測定器の外観を示すデータ、測定器の測定データの表示領域を示す表示領域データ、及び測定器の特徴を示すキーワードを含む判別データを予め蓄積する判別データ蓄積部と、
前記機器データ読取開始判定部により前記測定が完了したと判定されると、周りの音声データを収集する音声収集部と、
前記判別データを用いて、前記機器データ及び前記音声データから前記測定に係る測定器を特定し、該測定器による測定データを取得する測定データ取得部と、
前記測定データ取得部により取得された測定データを蓄積する測定データ蓄積部と、
を備えることを特徴とする測定データ管理システム。
【請求項２】
前記測定データ取得部により取得された測定データを音声データに変換して出力する音声出力部を更に備えことを特徴とする、請求項１に記載の測定データ管理システム。
【請求項３】
被測定者の識別情報、及び被測定者の基本情報を対応付けて予め蓄積する被測定者データ蓄積部と、
前記被測定者データ蓄積部を参照し、前記識別情報に基づいて被測定者の基本情報を取得する被測定者特定部と、を更に備え、
前記機器データ読取部は、前記機器データ及び前記被測定者の識別情報を読み取り、
前記測定データ蓄積部は、前記測定データ及び前記被測定者特定部により取得された被測定者の基本情報を蓄積することを特徴とする、請求項１又は２に記載の測定データ管理システム。
【請求項４】
機器データ読取装置及び測定データ蓄積装置を備え、測定器により測定した測定データを管理する測定データ管理システムにおいて、測定データを蓄積する測定データ蓄積装置であって、
機器データ読取装置から測定器の画像データ又は映像データである機器データ、及び音声データを受信するデータ送受信部と、
測定器の外観を示すデータ、測定器の測定データの表示領域を示す表示領域データ、及び測定器の特徴を示すキーワードを含む判別データを予め蓄積する判別データ蓄積部と、
前記判別データを用いて、前記機器データ及び前記音声データから前記測定に係る測定器を特定し、該測定器による測定データを取得する測定データ取得部と、
前記測定データ取得部により取得された測定データを蓄積する測定データ蓄積部と、
を備えることを特徴とする測定データ蓄積装置。
【請求項５】
機器データ読取装置及び測定データ蓄積装置を備えるシステムにおける、測定器により測定した測定データを管理する測定データ管理方法であって、
前記機器データ読取装置により、
加速度センサを用いて測定器による測定が完了したか否かを判定するステップと、
前記判定するステップにより前記測定が完了したと判定されると、該測定器の画像データ又は映像データである機器データを読み取るステップと、
前記機器データを前測定データ蓄積装置に送信するステップと、
前測定データ蓄積装置により、
前記送信するステップにより送信された機器データを受信するステップと、
測定器の外観を示すデータ、測定器の測定データの表示領域を示す表示領域データ、及び測定器の特徴を示すキーワードを含む判別データを予め蓄積するステップと、
前記機器データを読み取るステップにより前記測定が完了したと判定されると、周りの音声データを収集する音声収集ステップと、
前記判別データを用いて、前記機器データ及び前記音声データから前記測定に係る測定器を特定し、該測定器による測定データを取得するステップと、
前記取得するステップにより取得された測定データを蓄積するステップと、
を含むことを特徴とする測定データ管理方法。
【発明の詳細な説明】
【技術分野】
【０００１】
本発明は、測定データの管理を支援する測定データ管理システム、機器データ読取装置、測定データ蓄積装置、及び測定データ管理方法に関するものである。
【背景技術】
【０００２】
健康に関する人々の意識の高まりに伴い、様々な健康機器やシステムが提案されている（例えば、非特許文献１参照）。非特許文献１に記載のContinua Health Allianceでは、各種測定器や測定器とデータ登録装置間等のインタフェースの標準化を進め、個人がより簡単で効果的な健康管理ができるよう取り組みが進められている。上記のような取り組みが進んでいるものの現時点では、標準化されておらず通信機能も有していない旧来の測定器が利用されているのが実情である。そのため、個人の測定データの蓄積、そしてそのデータを利用した健康管理サービスの普及にいたっていない。
【先行技術文献】
【非特許文献】
【０００３】
【非特許文献１】[online]、Continua Health Alliance、[平成２４年５月２８日検索]、インターネット<ＵＲＬ:http://www.continuaalliance.org/index.html>
【発明の概要】
【発明が解決しようとする課題】
【０００４】
従来の測定データ管理システムでは、測定器からのデータを簡便化して利用者の健康管理の継続性を確保するため、無線通信を利用し、利用者が計測するだけでＰＣやサーバにデータを登録可能としていた。しかしながら、これらのシステムでは、利用者がそれまでに使用していた無線通信機能を有していない機器を利用できないほか、機器間で利用する無線通信規格が合致しなければ利用できないといった課題があった。
【０００５】
こういった問題を無くすため、測定器自体にデータ登録の機能を有することで測定データの登録・管理を可能とし、健康増進を図るシステムも提案されている。しかし、これらのシステムでは測定器間のデータを比較したり、編集してグラフ化したりすることができないほか、機器が壊れた場合には利用者のそれまでの測定データを失ってしまうといった課題があった。
【０００６】
かかる事情に鑑みてなされた本発明の目的は、利用者の健康増進を図る上で必須となる測定データの蓄積を、利用者がそれまで使用してきた測定器を利用しつつ、利用者がデータを計測するというそれまでの動作を実施するだけの簡単な操作で、利用者の測定データの蓄積を可能とし、利用者の健康増進に資することを目的とする。
【課題を解決するための手段】
【０００７】
上記課題を解決するため、本発明に係る測定データ管理システムは、測定器により測定した測定データを管理する測定データ管理システムであって、加速度センサを用いて測定器による測定が完了したか否かを判定する機器データ読取開始判定部と、前記機器データ読取開始判定部により前記測定が完了したと判定されると、該測定器の画像データ又は映像データである機器データを読み取る機器データ読取部と、測定器の外観を示すデータ、測定器の測定データの表示領域を示す表示領域データ、及び測定器の特徴を示すキーワードを含む判別データを予め蓄積する判別データ蓄積部と、前記機器データ読取開始判定部により前記測定が完了したと判定されると、周りの音声データを収集する音声収集部と、前記判別データを用いて、前記機器データ及び前記音声データから前記測定に係る測定器を特定し、該測定器による測定データを取得する測定データ取得部と、前記測定データ取得部により取得された測定データを蓄積する測定データ蓄積部と、を備えることを特徴とする。
【０００９】
また、上記課題を解決するため、本発明に係る測定データ蓄積装置は、機器データ読取装置及び測定データ蓄積装置を備え、測定器により測定した測定データを管理する測定データ管理システムにおいて、測定データを蓄積する測定データ蓄積装置であって、機器データ読取装置から測定器の画像データ又は映像データである機器データ、及び音声データを受信するデータ送受信部と、測定器の外観を示すデータ、測定器の測定データの表示領域を示す表示領域データ、及び測定器の特徴を示すキーワードを含む判別データを予め蓄積する判別データ蓄積部と、前記判別データを用いて、前記機器データ及び前記音声データから前記測定に係る測定器を特定し、該測定器による測定データを取得する測定データ取得部と、前記測定データ取得部により取得された測定データを蓄積する測定データ蓄積部と、を備えることを特徴とする。
【００１０】
また、上記課題を解決するため、本発明に係る測定データ管理方法は、機器データ読取装置及び測定データ蓄積装置を備えるシステムにおける、測定器により測定した測定データを管理する測定データ管理方法であって、前記機器データ読取装置により、加速度センサを用いて測定器による測定が完了したか否かを判定するステップと、前記判定するステップにより測定が完了したと判定されると、該測定器の画像データ又は映像データである機器データを読み取るステップと、前記機器データを前測定データ蓄積装置に送信するステップと、前測定データ蓄積装置により、前記送信するステップにより送信された機器データを受信するステップと、測定器の外観を示すデータ、測定器の測定データの表示領域を示す表示領域データ、及び測定器の特徴を示すキーワードを含む判別データを予め蓄積するステップと、前記機器データを読み取るステップにより前記測定が完了したと判定されると、周りの音声データを収集する音声収集ステップと、前記判別データを用いて、前記機器データ及び前記音声データから前記測定に係る測定器を特定し、該測定器による測定データを取得するステップと、前記取得するステップにより取得された測定データを蓄積するステップと、を含むことを特徴とする。
【発明の効果】
【００１１】
本発明によれば、利用者がそれまで使用してきた測定器を利用しつつ、利用者がデータを計測するというそれまでの動作を実施するだけの簡単な操作で、測定データをＰＣやインターネット情報サーバ等に蓄積・管理することができる。例えば、健康機器に関する測定データを管理することで、健康管理を容易に開始することができる。それにより、健康管理をする利用者の増加、健康増進を継続する利用者の増加等の効果が期待される。
【図面の簡単な説明】
【００１２】
【図１】本発明の第１の実施形態に係る測定データ管理システムの概略構成を示すブロック図である。
【図２】本発明の実施形態に係る機器データ読取装置の外観例を示す図である。
【図３】本発明の実施形態に係る機器データ読取装置の測定データ読取開始判定処理を示すフローチャートである。
【図４】本発明の実施形態に係る測定データ蓄積装置の測定データ取得処理を示すフローチャートである。
【図５】本発明の第２の実施形態に係る測定データ管理システムの概略構成を示すブロック図である。
【図６】本発明の第３の実施形態に係る測定データ管理システムの概略構成を示すブロック図である。
【図７】本発明の第４の実施形態に係る測定データ管理システムの概略構成を示すブロック図である。
【図８】本発明の他の実施形態に係る測定データ管理システムの概略構成を示すブロック図である。
【発明を実施するための形態】
【００１３】
以下、本発明の実施形態について、図面を参照して詳細に説明する。
【００１４】
（第１の実施形態）
図１は、本発明の第１の実施形態に係る測定データ管理システムの概略構成を示すブロック図である。図１に示すように、測定データ管理システム１は、測定器１０と、機器データ読取装置２０と、測定データ蓄積装置３０と、を備える。機器データ読取装置２０と測定データ蓄積装置３０とは、ネットワーク４０を介して接続される。
【００１５】
測定器１０は、体重計、血圧計などの従来の測定器であり、本発明においては、従来の測定器１０をそのまま利用することができる。
【００１６】
機器データ読取装置２０は、測定器１０の画像データ又は映像データである機器データを読み取る携帯型の装置である。図１に示すように、機器データ読取装置２０は、機器データ読取開始判定部２１と、機器データ読取部２２と、データ送受信部２３と、を備える。
【００１７】
図２は、機器データ読取装置２０の外観例を示す図である。図２に示すように、機器データ読取装置２０は、固定部２０２を介して眼鏡に装着してもよい。これにより、利用者は眼鏡をかけるだけで、測定データ管理システム１を利用することができる。機器データ読取装置２０は先端に撮像部２０１を有する。撮像部２０１の視野角内に測定器１０が収まるように、撮像部２０１又は機器データ読取装置２０全体の角度は調整可能とするのが好適である。
【００１８】
機器データ読取開始判定部２１は、測定器１０による測定が完了したか否かを判定し、測定器１０による測定が完了したと判定したときに、機器データ読取部２２に対して機器データの読取指示を行う。判定を利用者の指示に基づいて行う場合には、機器データ読取開始判定部２１は、利用者から測定完了時に測定が完了した旨の指示を受け取ったときに測定器１０による測定が完了したと判定する。また、判定を自動で行う場合には、機器データ読取開始判定部２１は、加速度センサ（図示せず）を用いて利用者が一定時間停止していることを検出したときに、測定器１０による測定が完了したと判定する。
【００１９】
図３は、機器データ読取開始判定部２１の加速度センサを用いた処理を示すフローチャートである。機器データ読取開始判定部２１は、加速度センサにより利用者の加速度を検出するとともに（ステップＳ１０１）、記憶部（図示せず）に予め記憶された設定値を取得する（ステップＳ１０２）。設定値は、利用者が停止しているときに加速度センサにより検出される加速度の上限値、又は加速度の上限値及び下限値である。
【００２０】
機器データ読取開始判定部２１は、測定器１０により測定が完了したか否かを判定する（ステップＳ１０３）。例えば、体重測定を行う場合のように利用者が測定器まで歩いていき、停止して測定器による測定を行う場面を想定すると、ステップＳ１０１により検出した加速度とステップＳ１０２により取得した設定値とを比較することにより、利用者が停止しているか否かを判定し、利用者の停止が一定時間以上継続した場合に、測定が完了したと判定する。機器データ読取開始判定部２１は、ステップＳ１０３により測定が完了したと判定した場合には、機器データ読取部２２に対して読取指示を行う（ステップＳ１０４）。
【００２１】
機器データ読取部２２は、機器データ読取開始判定部２１から読取指示を受け取ると、測定データを含む画像又は映像（以下、「機器データ」と称する）を撮像部２０１により読み取る。そして、機器データをデータ送受信部２３に出力する。機器データ読取開始判定部２１により読取開始判定をすることにより、機器データ読取部２２による機器データの読取時間を最小化(電力消費を最小化し効率化)しつつも、必要な機器データを読み取ることができる。
【００２２】
データ送受信部２３は、機器データ読取部２２により読み取られた機器データを、ネットワーク４０を介して測定データ蓄積装置３０に送信する。
【００２３】
測定データ蓄積装置３０は、機器データ読取装置２０により読み取られた機器データから測定データを判別し、測定データを蓄積する装置である。図１に示すように、測定データ蓄積装置３０は、データ送受信部３１と、判別データ蓄積部３２と、測定データ取得部３３と、測定データ蓄積部３４と、を備える。
【００２４】
データ送受信部３１は、機器データ読取装置２０から、ネットワーク４０を介して機器データを受信する。
【００２５】
判別データ蓄積部３２は、販売されている測定器１０の外観を示すデータ、及び該測定器１０が測定データを表示する領域を示す表示領域データを含む判別データを予め蓄積する。
【００２６】
測定データ取得部３３は、判別データ蓄積部３２に蓄積された判別データを用いて、データ送受信部３１により受信した機器データから測定器１０を特定し、該測定器１０により測定された測定データを取得する。そして、測定データを測定データ蓄積部３４に蓄積する。
【００２７】
図４は、測定データ取得部３３の測定データ取得処理を示すフローチャートである。測定データ取得部３３は、データ送受信部３１から機器データを取得し（ステップＳ２０１）、判別データ蓄積部３２から判別データを取得する（ステップＳ２０２）。そして、測定データ取得部３３は、データ送受信部３１から取得した機器データと、判別データ蓄積部３２から取得した判別データに含まれる測定器１０の外観を示すデータとが同一の測定器を示しているか否かを判定する（ステップＳ２０３）。測定データ取得部３３は、ステップＳ２０３にて同一の測定器を示していないと判定した場合には、判別データ蓄積部３２から新たな判別データを取得し、再度比較を行う。
【００２８】
一方、ステップＳ２０３にて同一の測定器を示していると判定すると、利用者が使用した測定器１０を特定する（ステップＳ２０４）。次に、測定データ取得部３３は、ステップＳ２０４にて特定した測定器１０のどの領域に測定データが表示されているかを判別データに含まれる表示領域データにより把握する。そして、データ送受信部３１により受信した機器データから測定器１０の表示領域を特定して抽出する（ステップＳ２０５）。最後に、測定データ取得部３３は、抽出した静止画の中から文字認識等の手段を用いて、測定データを取得する（ステップＳ２０６）。
【００２９】
測定データ蓄積部３４は、測定データ取得部３３により取得された測定データを蓄積する。
【００３０】
このように、本実施形態の測定データ管理システム１は、機器データ読取装置２０により、利用者が通常利用する測定器１０を用いて計測したデータを効率的に読み取り、読み取ったデータを測定データ蓄積装置３０に送信し、測定データ蓄積装置３０により、機器データ読取装置２０が読み取ったデータから測定データを取得し、蓄積する。これにより、利用者が通常利用する測定器１０をそのまま利用するだけで、測定データをＰＣやインターネット情報サーバ等に蓄積・管理することができるようになる。
【００３１】
（第２の実施形態）
図５は、本発明の第２の実施形態に係る測定データ管理システム２の概略構成を示すブロック図である。図５に示す測定データ管理システム２は、図１に示した第１の実施形態測定データ管理システム１と比較して、機器データ読取装置２０が音声収集部２４を更に備える点が相違する。以下、第２の実施形態について、第１の実施形態測定データ管理システム１と相違する点を中心に説明する。
【００３２】
機器データ読取開始判定部２１は、第１の実施形態と同様に、測定器１０による測定が完了したか否かを判定する。そして、測定器１０による測定が完了したと判定すると、機器データ読取部２２に対して読取指示を行うとともに、音声収集部２４に音声取得指示を行う。
【００３３】
機器データ読取部２２は、機器データ読取開始判定部２１から読取指示を受け取ると、第１の実施形態と同様に、機器データ取得する。
【００３４】
音声収集部２４は、機器データ読取開始判定部２１から音声取得指示を受け取ると、周囲の音声データを収集する。収集した音声に、利用者が発した測定器１０の特徴を示すキーワードが含まれている場合には、測定器１０の特定に利用することができる。
【００３５】
データ送受信部２３は、機器データ読取部２２により取得した機器データ、及び音声収集部２４により収集した音声データを、ネットワーク４０を介して測定データ蓄積装置３０に送信する。
【００３６】
データ送受信部３１は、機器データ読取装置２０から、ネットワーク４０を介して機器データ及び音声データを受信する。
【００３７】
判別データ蓄積部３２は、販売されている測定器１０の外観を示すデータ、測定器１０が測定データを表示する領域を示す表示領域データ、及び各測定器１０の特徴を示すキーワードを含む判別データを予め蓄積する。
【００３８】
表１は、各測定器１０の特徴を表すキーワードを示す表である。
【００３９】
【表１】
0005875939.tif 000002
【００４０】
測定データ取得部３３は、判別データ蓄積部３２に蓄積された判別データを用いて、データ送受信部３１により受信した機器データ及び音声データから測定器１０の種類及び測定器１０を特定し、該測定器１０による測定データを取得する。そして、測定データ（計測値）及び測定器１０の種類を測定データ蓄積部３４に蓄積する。
【００４１】
具体的には、測定データ取得部３３は、受信した機器データと判別データ蓄積部３２に記憶されている判別データの機器データとを比較するとともに、受信した音声データから判別データ蓄積部３２に記憶されている判別データのキーワードとを検出することにより、測定器１０の種類や機種を特定する。例えば、測定データ取得部３３は、音声データから「○○キロ増えた」というキーワードを検出した場合、測定器１０を体重計と判別する。また、測定データ取得部３３は、音声データから測定データを示す数値を判別できた場合、その情報を利用して測定データを取得してもよい。
【００４２】
測定データ蓄積部３４は、測定データ取得部３３により取得された測定データ及び測定器１０の種類を蓄積する。
【００４３】
このように、本実施形態の測定データ管理システム２は、機器データ読取開始判定部２１が読取開始判定を行うと、音声収集部２４により周りの音声データを収集し、測定データ取得部３３は、判別データ及び音声データを用いて、機器データから測定器を特定する。このように音声データも使用することにより、測定器１０の判別結果をより確度の高いものとすることができる。
【００４４】
（第３の実施形態）
図６は、本発明の第３の実施形態に係る測定データ管理システム３の概略構成を示すブロック図である。図６に示す測定データ管理システム３は、図５に示した第２の実施形態の測定データ管理システム２と比較して、機器データ読取装置２０が音声出力部２５を更に備える点が相違する。以下、第３の実施形態について、第２の実施形態の測定データ管理システム２と相違する点を中心に説明する。
【００４５】
測定データ取得部３３は、測定データを取得すると、測定データを測定データ蓄積部３４に蓄積するとともに、測定データをデータ送受信部３１に出力する。また、測定データ取得部３３は、特定した測定器１０の種類もデータ送受信部３１に出力してもよい。
【００４６】
データ送受信部３１は、測定データ（及び測定器１０の種類）を、ネットワーク４０を介して機器データ読取装置２０に送信する。
【００４７】
データ送受信部２３は、測定データ蓄積装置３０から、ネットワーク４０を介して測定データ（及び測定器１０の種類）を受信し、音声出力部２５に出力する。
【００４８】
音声出力部２５は、データ送受信部２３により受信した測定データ（及び測定器１０の種類）を音声データに変換して出力する。これにより、測定データがいくつであったか（及び測定器１０の種類が何であるか）を利用者に通知することができる。
【００４９】
さらに、測定データ蓄積装置３０は、メッセージ蓄積部（図示せず）に、予め利用者に通知するメッセージを蓄積しおき、そのメッセージを機器データ読取装置２０に送信し、音声出力部２５は受信したメッセージを音声データに変換して出力するようにしてもよい。メッセージは、例えば、一定の時間になったら体重を計測するように促すメッセージや、しばらく計測をしていない利用者に対して計測を促すメッセージ等である。
【００５０】
このように、測定データ管理システム３は、音声出力部２５により、測定データ取得部３３により取得された測定データを音声データに変換して出力する。このため、より利用者の利便性向上や健康推進の継続率向上に寄与することができる。
【００５１】
（第４の実施形態）
図７は、本発明の第４の実施形態に係る測定データ管理システム４の概略構成を示すブロック図である。図７に示す測定データ管理システム４は、図１に示した第１の実施形態の測定データ管理システム１と比較して、測定データ蓄積装置３０が被測定者データ蓄積部３５、及び被測定者特定部３６を更に備える点が相違する。以下、第４の実施形態について、第１の実施形態の測定データ管理システム１と相違する点を中心に説明する。
【００５２】
本発明の測定データ管理システムは、個人的な利用のみならず、病院などで利用することもできる。例えば、医療現場において看護士や介護士などの測定者が患者などの被測定者の測定を行う際に、本システムを利用することができる。ただし、複数人の測定データを管理する場合には、測定データがどの被測定者のデータであるかを判別する必要がある。そのため、本実施形態では被測定者を識別可能な情報を機器データ読取装置２０から測定データ蓄積装置３０に送信し、測定データ蓄積装置３０により被測定者を特定する。
【００５３】
機器データ読取部２２は、機器データ読取開始判定部２１から読取指示を受け取ると、被測定者を識別可能な識別情報を撮像部２０１により読み取る。識別情報とは、例えば被測定者が患者である場合には、診察カード、名札、患者に割り振られた番号、あるいは患者の顔写真などである。その後、機器データ読取開始判定部２１から読取指示を受け取ると、機器データを撮像部２０１により読み取る。
【００５４】
データ送受信部２３は、機器データ読取部２２により取得した被測定者の識別情報及び機器データを、ネットワーク４０を介して測定データ蓄積装置３０に送信する。
【００５５】
データ送受信部３１は、機器データ読取装置２０から、ネットワーク４０を介して被測定者の識別情報及び機器データを受信する。
【００５６】
被測定者データ蓄積部３５は、被測定者の識別情報、及び被測定者の基本情報（例えば、氏名）を対応付けて予め蓄積する。
【００５７】
被測定者特定部３６は、被測定者データ蓄積部３５を参照し、データ送受信部３１により取得された被測定者の識別情報に基づいて被測定者の基本情報を取得する。
【００５８】
測定データ蓄積部３４は、測定データ取得部３３により取得した測定データを蓄積するとともに、被測定者特定部３６により特定された被測定者の基本情報を蓄積する。
【００５９】
このように、測定データ管理システム４は、被測定者データ蓄積部３５に被測定者の識別情報及び基本情報を対応付けて予め蓄積し、被測定者特定部３６により機器データ読取装置から送信された識別情報に基づいて被測定者を特定する。従来、看護や介護といった忙しい現場では計測した数字は覚えているもののそれがどの患者のデータであったかを忘れるような事象があったが、本実施形態の測定データ管理システム４によれば、患者と測定データとを紐付けることができ、記入の手間を省くとともに、記入誤りを無くすことができるようになる。
【００６０】
上述の実施形態は代表的な例として説明したが、本発明の趣旨及び範囲内で多くの変更及び置換ができることは当業者に明らかである。したがって、本発明は、上述の実施形態によって制限するものと解するべきではなく、特許請求の範囲から逸脱することなく、種々の変形や変更が可能である。
【００６１】
例えば、測定データ蓄積装置３０に具備される各処理部の全部又は一部を機器データ読取装置２０が備えてもよい。機器データ読取装置２０に測定データ蓄積装置３０の各処理部が具備される場合においては、取得した測定データを機器データ読取装置２０の表示部（図示せず）に表示して利用者に提示してもよい。これにより、更なる利用者の利便性向上や健康増進の継続率向上に寄与することができる。
【００６２】
また、上述の実施形態では、利用者が今まで使用してきた測定器１０で計測する一連の作業の中で測定データを自動登録できるように眼鏡に装着できる形の機器データ読取装置２０を例に示したが、もちろん機器データ読取装置２０を利用者が普段利用する携帯電話やスマートフォンに組み込み、利用者のボタン押下を契機に機器データの読み取りを開始するようにしてもよい。
【００６３】
また、測定データ蓄積装置３０も利用者が普段利用する携帯電話やスマートフォン、あるいはＰＣやサーバに組み込まれてもよい。また、測定データ蓄積装置３０についても複数の装置に各処理部を分散して構成してもよい。例えば、図８に示すように、測定データ蓄積装置３０の一部の処理部を携帯電話やスマートフォンに組み込み、測定データ蓄積装置３０の残りの処理部をサーバに組み込んでもよい。
【００６４】
また、上述の実施形態では、機器データ読取装置２０は測定器１０の機器データを読み取る例を示したが、機器データ以外のデータを読み取る場合に適用することもできる。例えば、機器データ読取開始判定部２１により加速度センサを用いて、一定周波数以上の周波数又は一定の周波数幅に入る特定の周波数を検出することで、利用者が食べ物を食べ始めたことを検出し、それをもとに読取った食べ物のデータを測定データ蓄積装置３０に送信し、測定データ取得部３３により食べ物を判別し、取得した食べ物データを測定データ蓄積部３４に蓄積するシステムとして応用してもよい。
【符号の説明】
【００６５】
１，２，３，４  測定データ管理システム
１０    測定器
２０    機器データ読取装置
２１    機器データ読取開始判定部
２２    機器データ読取部
２３    データ送受信部
２４    音声収集部
２５    音声出力部
３０    測定データ蓄積装置
３１    データ送受信部
３２    判別データ蓄積部
３３    測定データ取得部
３４    測定データ蓄積部
３５    被測定者データ蓄積部
３６    被測定者特定部
４０    ネットワーク
２０１  撮像部
２０２  固定部
【図１】
0005875939.tif 000003
【図２】
0005875939.tif 000004
【図３】
0005875939.tif 000005
【図４】
0005875939.tif 000006
【図５】
0005875939.tif 000007
【図６】
0005875939.tif 000008
【図７】
0005875939.tif 000009
【図８】
0005875939.tif 000010